(57)【要約】  第１の改良型では、装置が、ステータと、ステータ内に偏心して取り付けられるロータとを含む。遊星歯車機構が大歯車と小歯車で構成される。遊星歯車機構の大歯車は、小歯車が大歯車の周囲を移動できように、小歯車の外側から固定して配置され、小歯車と係合する。ステータは大歯車に連結され、ロータは小歯車に連結される。ステータ及びロータの輪郭を表す方程式も開示する。第２の改良型では、装置がステータとロータとを含む。小歯車が固定して配置される一方、大歯車は、遊星歯車機構の小歯車の周囲を移動できるようにされる。ステータは小歯車に連結され、ロータは大歯車に連結される。ステータ及びロータの輪郭を表す方程式も開示する。【選択図】図７
2010514982.tif 000002
【特許請求の範囲】
【請求項１】
ステータと、該ステータ内に偏心して取り付けられたロータと、大歯車及び小歯車から成る遊星歯車機構とを含む容積式機械の設計であって、
前記大歯車は、前記小歯車の外側から固定して配置されるとともに該小歯車と係合し、
前記小歯車は、前記遊星歯車機構の前記大歯車の周囲を移動可能なように作られ、
前記ステータは前記大歯車に連結され、前記ロータは前記遊星歯車機構の前記小歯車に連結され、
前記ロータの断面における外面輪郭が直線群の包絡線となり、
前記群を生成する直線ｙzが、前記大歯車に固定して連結されるとともに前記直線の開始点が前記大歯車の中心にあるＯ1Ｘ1Ｙ1座標系において、
2010514982.tif 000091
の方程式により設定され、
上式において、Ａは軸Ｏ1Ｘ1に対する前記直線ｙzの傾斜角（０≦Ａ≦π）であり、
ｘ1はＯ1Ｘ1に沿った前記直線ｙzの現在点の座標であり、
Ｂは、Ｏ1Ｘ1Ｙ1座標系の開始点Ｏ1を前記直線ｙzに連結する区域の傾斜角（０≦Ｂ≦π及びＢ≠Ａ）であり、前記Ｏ1Ｘ1軸から計算され、
ａは、前記Ｏ1Ｘ1Ｙ1座標系の前記開始点Ｏ1を前記直線ｙzに連結する前記区域の長さであり、
前記輪郭は、
2010514982.tif 000092
のパラメータ方程式により作成され、
上式において、ｘ、ｙは、ＯＸＹデカルト座標系のＸ、Ｙ軸に沿った輪郭点の現在座標であり、その開始点は前記小歯車の中心にあり、
ｅは偏心度の値であり、
ｚは、係合パラメータ（ｚ＝２、３、・・・）であり、
α＝（ｚ＋１）Ψであり、
Ψは前記小歯車に対する前記大歯車の回転角であり、前記ＯＸＹ座標系における前記Ｘ軸から計算され、この開始点は前記小歯車の中心にあって１つのパラメータの役割を果たし、０≦Ψ≦２πであり、
2010514982.tif 000093
であり、
ａ*は、ａ*＝ａ／ｅとして定義される形状パラメータであり、
2010514982.tif 000094
の条件を満たし、
前記ステータの断面における内面輪郭はｚ＋１個の直線区域で作られ、これらの各々は、
2010514982.tif 000095
のパラメータ方程式に対応して作られ、
上式において、ｘk、ｙkは、Ｏ1Ｘ1Ｙ1デカルト座標系の軸Ｘ1、Ｙ1に沿ったステータの輪郭点の現在座標であり、この開始点は前記大歯車の中心にあり、
ｋ＝０、１、・・・ｚは直線区域の数であり、
2010514982.tif 000096
であり、
χは前記大歯車に対する前記小歯車の回転角であり、前記Ｏ1Ｘ1Ｙ1座標系の前記Ｘ1軸から計算され、この開始点は前記大歯車の中心にあって１つのパラメータの役割を果たし、この場合、
2010514982.tif 000097
の場合、
2010514982.tif 000098
Ｂ−Ａ＜０かつ
2010514982.tif 000099
、又はＢ−Ａ＞０かつ
2010514982.tif 000100
の場合、
2010514982.tif 000101
Ｂ−Ａ＜０かつ
2010514982.tif 000102
2010514982.tif 000103
の場合、
2010514982.tif 000104
となり、この場合、前記ステータの輪郭の隣り合う直線区域は、互いにｚ＋１個の曲線区域によって接合され、該曲線区域の各々は、次のパラメータ方程式のいずれか、すなわち、
2010514982.tif 000105
上式において、ｘ′、ｙ′は、前記軸Ｏ1Ｘ1、Ｏ1Ｙ1に沿った接合弓形の現在座標であり、
θは、ｋが偶数かつＢ−Ａ＜０の場合、或いはｋが奇数かつＢ−Ａ＞０の場合、
2010514982.tif 000106
の区域上で定められるパラメータであり、
若しくはθは、ｚが偶数かつｋが奇数かつＢ−Ａ＜０の場合、或いはｚが偶数かつｋが偶数かつＢ−Ａ＞０の場合、
2010514982.tif 000107
の区域上で定められるパラメータであり、
2010514982.tif 000108
であり、
又は、
2010514982.tif 000109
に対応する弓形として作られ、
上式において、θは、ｚが奇数かつｋが奇数かつＢ−Ａ＜０である場合、
2010514982.tif 000110
の区域上で定められるパラメータであり、
若しくはθは、ｚが奇数かつｋが偶数かつＢ−Ａ＞０である場合、
2010514982.tif 000111
の区域上で定められるパラメータである、
ことを特徴とする容積式機械の設計。
【請求項２】
ステータと、該ステータ内に偏心して取り付けられたロータと、大歯車及び小歯車から成る遊星歯車機構とを含む容積式機械の設計であって、
前記小歯車は、前記大歯車の内側に配置されるとともに該大歯車と係合し、
前記小歯車は固定して取り付けられ、
前記大歯車は、前記遊星歯車機構の前記小歯車の周囲を移動可能に作られ、
前記ステータは前記小歯車に連結され、前記ロータは前記遊星歯車機構の前記大歯車に連結され、
前記ロータの断面の外面輪郭が直線群の包絡線となり、
前記群を生成する直線ｙzが、前記小歯車に固定して連結されるとともに前記直線の開始点が前記大歯車の中心にあるＯ1Ｘ1Ｙ1座標系において、
2010514982.tif 000112
の方程式により設定され、
上式において、ＡはＯ1Ｘ1軸に対する前記直線ｙzの傾斜角（０≦Ａ≦π）であり、
ｘ１はＯ1Ｘ1に沿った前記直線ｙzの現在点の座標であり、
Ｂは、Ｏ1Ｘ1Ｙ1座標系の開始点Ｏ1を前記直線ｙzに連結する区域の傾斜角（０≦Ｂ≦π、Ｂ≠Ａ）であり、前記Ｏ1Ｘ1軸から計算され、
ａは、前記Ｏ1Ｘ1Ｙ1座標系の前記開始点Ｏ1を前記直線ｙzに連結する前記区域の長さであり、
前記ロータの輪郭は、
2010514982.tif 000113
のパラメータ方程式により作成され、
上式において、ｘ、ｙは、ＯＸＹデカルト座標系のＸ、Ｙ軸に沿った輪郭点の現在座標であり、この開始点は前記大歯車の中心にあり、
ｅは偏心度の値であり、
ｚは、係合パラメータ（ｚ＝２、３、・・・）であり、
ａ*は、ａ*＝ａ／ｅとして定義される形状パラメータであり、
2010514982.tif 000114
の条件を満たし、
α１＝ｚｔであり、
ｔは前記大歯車に対する前記小歯車の回転角であり、前記ＯＸＹ座標系における前記軸Ｘから計算され、この開始点は前記大歯車の中心にあって１つのパラメータの役割を果たし、
０≦ｔ≦２πであり、
2010514982.tif 000115
であり、
前記ステータの断面における内面輪郭はｚ個の直線区域で作られ、これらの各々は、
2010514982.tif 000116
のパラメータ方程式に対応して作られ、
上式において、ｘn、ｙnは、Ｏ1Ｘ1Ｙ1デカルト座標系のＸ1、Ｙ1軸に沿ったステータの輪郭点の現在座標であり、この開始点は前記小歯車の中心にあり、
ｎ＝０、１、・・・ｚは直線区域の数であり、
2010514982.tif 000117
であり、
ρは前記小歯車に対する前記大歯車の回転角であり、前記Ｏ1Ｘ1Ｙ1座標系の前記軸Ｘ1から計算され、この開始点は前記小歯車の中心にあって１つのパラメータの役割を果たし、この場合、
2010514982.tif 000118
の場合、
2010514982.tif 000119
Ｂ−Ａ＜０かつ
2010514982.tif 000120
、又はＢ−Ａ＞０かつ
2010514982.tif 000121
の場合、
2010514982.tif 000122
Ｂ−Ａ＜０かつ
2010514982.tif 000123
2010514982.tif 000124
の場合、
2010514982.tif 000125
となり、この場合、前記ステータの輪郭の隣り合う直線区域は、互いにｚ＋１個の曲線区域によって接合され、該曲線区域の各々は、次のパラメータ方程式のいずれか、すなわち、
2010514982.tif 000126
上式において、ｘ′、ｙ′は、前記軸Ｏ1Ｘ1、Ｏ1Ｙ1に沿った接合弓形の現在座標であり、
θは、ｋが偶数かつＢ−Ａ＜０の場合、或いはｋが奇数かつＢ−Ａ＞０の場合、
2010514982.tif 000127
の区域上で定められるパラメータであり、
若しくはθは、ｚが奇数かつｋが奇数かつＢ−Ａ＜０の場合、或いはｚが奇数かつｋが偶数かつＢ−Ａ＞０の場合、
2010514982.tif 000128
の区域上で定められるパラメータであり、
2010514982.tif 000129
であり、
又は、
2010514982.tif 000130
に対応する弓形として作られ、
上式において、θは、ｚが偶数かつｋが奇数かつＢ−Ａ＜０である場合、或いはｚが偶数かつｋが偶数かつＢ−Ａ＞０である場合、
2010514982.tif 000131
の区域上で定められるパラメータである、
ことを特徴とする容積式機械の設計。
【発明の詳細な説明】
【技術分野】
【０００１】
本発明は容積式のピストン回転機械に関し、ポンプ、圧縮機、エンジンにおいて本発明を使用することができる。
【背景技術】
【０００２】
偏心部を有するシャフトと、シャフト偏心部に取り付けられるとともに末端面と凸状の側面とによって形成された外面を有するロータピストンと、２つの平らで平行な末端壁とロータピストンを恒久的に収容する３つの作動区域で閉じられた側壁とによって形成された、ロータピストンを配置するための内側空間を含むステータと、ステータ側壁の作動区域に配置されたセグメントと、ロータピストンに連結した歯車状の噛合部と、ステータに固定して連結された、内歯を有するホイールとを含む動力ユニットが知られており、この場合、ロータピストン側面の個々の断面は、偏心部のシャフトの軸線から最も遠くにあるとともに軸線に対して対称的に配置された２つの点を有する凸状の閉じた線であり、シャフトの軸線と直交するステータ側壁の個々の断面は、丸みを帯びた角と直線状又は滑らかな凸状の辺とを有する正三角形の形状を有し、ステータの内部容積は、ステータの３つの作動部分に対するロータピストンの凸状の側面の接線によって、可変容積を有する３つの作動チャンバに細分割される。この動力ユニットは、ロータピストンに固定して連結された外径ｄのスリーブを有し、ステータ末端壁内には円形の開口部が設けられ、この開口部はシャフトと同軸上にあるとともにその直径はＥ＋０．５ｄ（Ｅは、前記シャフトの軸線と前記偏心部の軸線との間の距離である）よりも大きく、前記開口部内に及びシャフトと同軸上に回転式ディスクが配置され、スリーブはステータの内部容積を越えて回転式ディスク内の開口部を貫通し、歯車噛合部の歯車は、スリーブと同軸上にスリーブに固定して連結され、前記歯車噛合部は、ステータの内部容積を越えてステータ内に配置され、ステータと回転式ディスクの間にリングシールが取り付けられる（ロシア特許第２０５６７１２号）。
【０００３】
ガイド部が正Ｍ角形の境界を定める線の形をとる内部円筒面を有する中空ステータと、ステータキャビティ内に偏心して配置されるとともにキャビティ軸に対して遊星運動することができ、運動中、ステータのＭ個の角の区域におけるキャビティの側面とステータの内部円筒面との間の接触により、各々が他のチャンバから隔離された、可変容積を有するＭ個の作動チャンバを形成するロータと、上部にステータキャビティ軸と同軸上に可動シャフトが取り付けられた前部カバーと、ステータに堅く密閉して連結された後部カバーと、弁分配機構とを含む容積式機械も知られており、この場合、ロータ断面は、相互に滑らかに接合したＭ−１個の同様の凸辺を含む平らな形状であり、ロータ回転軸と一致するＭ−１の序列の回転軸を有する。容積式機械の前面カバーは、一体にされたステータに固定かつ密閉して連結され、ステータは、前部及び後部カバーに連結されて、シャフトと同軸の第１及び第２の円形キャビティを形成するとともにキャビティの内周面に沿ってステータキャビティと連通し、弁分配機構は、ロータと同軸の入口及び出口ディスク弁を含み、これらのディスク弁は、それぞれロータの第１及び第２の端部フランジとして作られるとともに、ロータとそれぞれの円形キャビティの側壁との間の最低限保証されたギャップにより、可変容積の作動チャンバをこれらの端部において非接触密閉するロータの自由な運動を確実にし、運動中、後部カバー内に作られたＭ個の入口流路を定期的に覆うことと、ステータの円筒面の個々の角の区域においてステータ内に作られるＭ個の出口流路を収集出口キャビティに定期的に連結することを確実にできるように、それぞれ第１及び第２の円形キャビティ内に配置され、この場合Ｍは３以上の整数である（ロシア特許第２１９９６６８号）。
【０００４】
さらに、この容積式機械のシャフトは、ステータキャビティ内に配置される偏心した区域と共に作られ、後部カバーに設けられた静止した外側ホイールの内側リング歯車と係合する外側リング歯車を有する遊星駆動式内側ホイールを備えたロータ軸である。
【０００５】
しかしながら、上記の技術的解決法は、高い性能及び効率を有する容積式機械を構築するためにロータ外面及びステータ内面の輪郭を最適化するという課題を解決するものではない。
【０００６】
上述の２つの技術的解決法で説明した動力ユニットと同様の動力ユニットに関するロシア特許出願第２００３１０５２０１号（２００３年２月２５日公開）において、ロータ外面及びステータ内面を形成するための数学方程式を定義する試みがなされた。この動力ユニットは、偏心部を有するシャフトと、側面と平らな末端壁とを有するロータピストンと、ロータピストンのための駆動機構と、作動物質のための分配装置と、内側面と末端壁と内部容積とを有する作動シリンダとを備え、ロータピストンは、シャフト偏心部に取り付けられるとともに作動シリンダの内部容積内に配置され、シャフト軸と直交する作動シリンダの内側面の個々の断面輪郭はＮ角形（Ｎは３以上）の形状を有し、シャフト軸と直交するロータピストン側面の個々の断面輪郭は、Ｎ＝３の場合には牡蠣形を有し、またＮが３よりも大きい場合には正曲線（Ｍ−１）角形の形状を有し、作動シリンダは、ロータピストンの側面と接触するＮ個の作動区域をその内側面に有し、作動シリンダの内部容積は、ロータピストンの側面と作動シリンダの側面の作動区域との間の接触線によりＮ個の可変容積の作動チャンバに細分割され、作動シリンダのＮ個の角部の各々の中に入口−出口孔が設けられ、作動物質分配装置は、回転式弁装置と、回転式弁装置のための駆動機構と、作動物質のためのＮ本の主管路とを含み、作動物質のためのＮ本の主管路はそれぞれのＮ個の入口−出口孔に連結され、弁装置の回転軸は動力ユニットのシャフト軸と一致し、回転式弁装置のための駆動機構はシャフトに連結される。回転式弁装置は１つの平らな分配ディスクの形で作られ、作動物質のためのＮ本の主管路及びＮ個の入口−出口孔を介して作動シリンダのＮ個の作動チャンバの全てに作動物質を同時に分配するための（Ｎ−１）個の入口貫通孔と（Ｎ−１）個の出口貫通孔とを含む。
【０００７】
上記の類似した解決策のロータ−ステータ構成の主な識別特徴は、全体として多数の径方向接点を含むステータの作動キャビティの側面内に含まれた平坦な矩形小平面を利用できるということである。その他の外的特徴のうち、ロータ及び作動キャビティの両方の輪郭曲線が包絡し、すなわち判別式の類に関連する点を挙げることができ、このためこれらのピストン回転機械を判別型と呼ぶことができる。
【０００８】
このような機械では、従来の技術的解決法におけるロータピストン側面の前記断面輪郭を、ｘとｙの直交座標系において、
2010514982.tif 000003
の方程式によって表すことができ、
上式において、ｅは偏心度（主シャフト部分の軸線と偏心シャフト部分の軸線との間の距離）であり、
ｚ＝Ｎ−１であり、この場合、Ｎは作動シリンダの断面において形成される曲線角区域を有する正Ｎ角形における角の個数（Ｎ＞３）であり、
ａは正Ｎ角形の外接円の半径であり、
2010514982.tif 000004
であり、
Фは角度パラメータであり、
2010514982.tif 000005
であり、
また、作動シリンダ内側面の前記断面輪郭は、正Ｎ角形であるとともにこの正Ｎ角形の中に曲線角区域を有し、この場合、曲線角区域の作動シリンダ断面の輪郭の形状を、ｘとｙの直交座標系において、
2010514982.tif 000006
の方程式によって表すことができ、
また、作動シリンダ内側面の断面輪郭における直線区域を、
2010514982.tif 000007
の方程式によって表すことができ、
上式において、ｅは偏心度（主シャフト部分の軸線と偏心シャフト部分の軸線との間の距離）であり、
ｚ＝Ｎ−１であり、この場合、Ｎは作動シリンダの断面において形成される正Ｎ角形における角の個数（Ｎ＞３）であり、
ｘは偏心シャフト部の軸周りにおけるロータピストンの回転の角度であり、
2010514982.tif 000008
であり、
ａは正Ｎ角形の外接円の半径であり、
ｋは作動シリンダ内面上の作動区域の個数である。
（２００３年２月２５日に公開されたロシア特許出願第２００３１０５２０１号を参照のこと。）
【０００９】
上述するとともに上記方程式によって表した判別型ピストン回転機械のための「ロータ−ステータ」構成は、その実用的な有意水準を大幅に低下させる数多くの固有の特徴によって特徴付けられる。
【００１０】
ロータ及びステータの取付け中の、これらの相互の配置の唯一の改良型がこの構成に固定される。すなわち、ロータの幾何学的中心を通る軸線に対するロータの位置及び遊星歯車機構の小歯車と大歯車（これらの歯車は、駆動シャフトとロータとの同期運動に使用される機構の主構造要素である）との間の初期の接点を１つの方法で決定することができ、前記軸線に対するステータの作動キャビティの輪郭の位置も１つの方法のみで決定することができるが、これは、形式的には、従来の技術的解決法におけるロータ−ステータ構成がたった３つの値、すなわちロータの頂点の個数（ｚ）、偏心度（ｅ）、及び形状パラメータ（ａ*＝ａ／ｅ）によって決定されることを意味する。この事実により、ロータ−ステータの対を製造し組み立てる技術プロセスに深刻な問題が持ち込まれる。
【００１１】
別の従来の解決策では、小歯車がステータに連結され、大歯車がロータに連結されるという逆の改良型を実現せずに、小歯車がロータに連結され、大歯車がステータに連結されるという状況が実現される。従って、従来の方程式では、この逆の状況に関してロータ−ステータ構成を決定することができず、これにより回転機械の用途の範囲が大幅に区切られる。
【００１２】
従来の方程式は、無次元パラメータ＝ａ／ｅの値の下限を設定しない結果、ロータ輪郭の頂点に「ループ」が出現し、このため、この類似の解決策の実現可能性が実際には失われるということになる。
【００１３】
従来の方程式には、ステータの作動キャビティの輪郭の曲線区域と直線区域との間の接合点を識別するものがなく、これにより、ロータ及びステータの形状を正確に実現できないようになる。
【００１４】
類似の解決策では、ステータの輪郭の直線区域と曲線区域とを接合するために１つの接合曲線しか使用しないが、提案する技術的解決法に関連して行う方程式解析は、第１の実施形態には奇数値のｚパラメータの、或いは第２の実施形態には偶数値のｚパラメータの２つの曲線が正確な接合のために必要であることを示している。従って、上述した係合パラメータｚの値では、最も類似した解決策は機能しない。
【００１５】
最終的に、最も類似した解決策は、かなり数の用途に、特にエンジン、圧縮機、又はポンプなどにおいて実現する場合、これらの作製精度が低く、これらの比容量、出力、効率が低く、耐用年数が短い場合には役に立たない。
【先行技術文献】
【特許文献】
【００１６】
【特許文献１】ロシア特許第２０５６７１２号
【特許文献２】ロシア特許第２１９９６６８号
【特許文献３】ロシア特許出願第２００３１０５２０１号
【発明の概要】
【発明が解決しようとする課題】
【００１７】
本発明の目的は、ロータ−ステータの作動面の構成及びこれらの作製精度を最適化することにより、効率、比容量、及び出力の上昇を可能にする容積式機械の改良型を作製し、この結果、判別型ピストン回転機械の性能を上昇させるとともにこれらの応用分野を広げることにある。
【課題を解決するための手段】
【００１８】
この目的を達成するために、本発明の２つの実施形態を提案する。
【００１９】
第１の実施形態では、ステータと、ステータ内に偏心して取り付けられたロータと、大歯車及び小歯車から成る遊星歯車機構とを含み、大歯車が小歯車の外側に係合した形で固定して取り付けられ、小歯車が遊星歯車機構の大歯車の周囲を移動可能なように作られ、ステータが大歯車に連結され、ロータが遊星歯車機構の小歯車に連結された従来構成の容積式機械において、本発明により、ロータの断面における外面輪郭が直線群の包絡線となり、この群を生成する線ｙzが、大歯車に固定して連結されるとともに、この線の開始点が大歯車の中心にあるＯ1Ｘ1Ｙ1座標系において、
2010514982.tif 000009
の方程式により設定され、
上式において、Ａは軸Ｏ1Ｘ1に対する直線ｙzの傾斜角（０≦Ａ≦π）であり、
ｘ１はＯ1Ｘ1に沿った直線ｙｚの現在点の座標であり、
Ｂは、Ｏ1Ｘ1Ｙ1座標系の開始点Ｏ1を直線ｙzに連結する区域の傾斜角（０≦Ｂ≦π及びＢ≠Ａ）であり、Ｏ1Ｘ1軸から計算され、
ａは、Ｏ1Ｘ1Ｙ1座標系の開始点Ｏ1を直線ｙzに連結する区域の長さであり、
また、ロータの輪郭は、
2010514982.tif 000010
のパラメータ方程式により作成され、
上式において、ｘ、ｙは、ＯＸＹデカルト座標系のＸ、Ｙ軸に沿った輪郭点の現在座標であり、その開始点は小歯車の中心にあり、
ｅは偏心度の値であり、
ｚは、係合パラメータ（ｚ＝２、３、・・・）であり、
α＝（ｚ＋１）Ψであり、
Ψは小歯車に対する大歯車の回転角であり、ＯＸＹ座標系におけるＸ軸から計算され、この開始点は小歯車の中心にあって１つのパラメータの役割を果たし
０≦Ψ≦２πであり、
2010514982.tif 000011
であり、
ａ*は、ａ*＝ａ／ｅとして定義される形状パラメータであり、
2010514982.tif 000012
の条件を満たし、
また、ステータの断面における内面輪郭はｚ＋１個の直線区域で作られ、これらの各々は、
2010514982.tif 000013
のパラメータ方程式に対応して作られ、
上式において、ｘk、ｙkは、Ｏ1Ｘ1Ｙ1デカルト座標系の軸Ｘ1、Ｙ1に沿ったステータの輪郭点の現在座標であり、この開始点は大歯車の中心にあり、
ｋ＝０、１、・・・ｚは直線区域の数であり、
2010514982.tif 000014
であり、
χは大歯車に対する小歯車の回転角であり、Ｏ1Ｘ1Ｙ1座標系のＸ1軸から計算され、この開始点は大歯車の中心にあって１つのパラメータの役割を果たし、この場合、
2010514982.tif 000015
の場合、
2010514982.tif 000016
Ｂ−Ａ＜０かつ
2010514982.tif 000017
、又はＢ−Ａ＞０かつ
2010514982.tif 000018
の場合、
2010514982.tif 000019
Ｂ−Ａ＜０かつ
2010514982.tif 000020
2010514982.tif 000021
の場合、
2010514982.tif 000022
となり、この場合、ステータの輪郭の隣り合う直線区域は、互いにｚ＋１個の曲線区域によって接合され、これらの曲線区域の各々は、次のパラメータ方程式のいずれか、すなわち、
2010514982.tif 000023
上式において、ｘ′、ｙ′は、軸Ｏ1Ｘ1、Ｏ1Ｙ1に沿った接合弓形の現在座標であり、
θは、ｋが偶数かつＢ−Ａ＜０の場合、或いはｋが奇数かつＢ−Ａ＞０の場合、
2010514982.tif 000024
の区域上で定められるパラメータであり、
若しくはθは、ｚが偶数かつｋが奇数かつＢ−Ａ＜０の場合、或いはｚが偶数かつｋが偶数かつＢ−Ａ＞０の場合、
2010514982.tif 000025
の区域上で定められるパラメータであり、
2010514982.tif 000026
であり、
又は、
2010514982.tif 000027
に対応する弓形として作られ、
上式において、θは、ｚが奇数かつｋが奇数かつＢ−Ａ＜０である場合、
2010514982.tif 000028
の区域上で定められるパラメータであり、
若しくはθは、ｚが奇数かつｋが偶数かつＢ−Ａ＞０である場合、
2010514982.tif 000029
の区域上で定められるパラメータである。
【００２０】
第２の実施形態では、ステータと、ステータ内に偏心して取り付けられたロータと、大歯車及び小歯車から成る遊星歯車機構とを含み、小歯車が大歯車の内側に係合した形で取り付けられた従来構成の容積式機械において、本発明により、小歯車が固定して取り付けられ、大歯車が遊星歯車機構の小歯車の周囲を移動可能に作られ、ステータが小歯車に連結され、ロータが遊星歯車機構の大歯車に連結され、ロータ断面における外面輪郭が直線群の包絡線となり、この群を生成する線ｙzが、小歯車に固定して連結されるとともに、この開始点が小歯車の中心にあるＯ1Ｘ1Ｙ1座標系において、
2010514982.tif 000030
の方程式により設定され、
上式において、ＡはＯ1Ｘ1軸に対する直線ｙzの傾斜角（０≦Ａ≦π）であり、
ｘ１はＯ1Ｘ1に沿った直線ｙzの現在点の座標であり、
Ｂは、Ｏ1Ｘ1Ｙ1座標系の開始点Ｏ1を直線ｙzに連結する区域の傾斜角（０≦Ｂ≦π、Ｂ≠Ａ）であり、Ｏ1Ｘ1軸から計算され、
ａは、Ｏ1Ｘ1Ｙ1座標系の開始点Ｏ1を直線ｙzに連結する区域の長さであり、
また、ロータの輪郭は、
2010514982.tif 000031
のパラメータ方程式により作成され、
上式において、ｘ、ｙは、ＯＸＹデカルト座標系のＸ、Ｙ軸に沿った輪郭点の現在座標であり、その開始点は大歯車の中心にあり、
ｅは偏心度の値であり、
ｚは、係合パラメータ（ｚ＝２、３、・・・）であり、
ａ*は、ａ*＝ａ／ｅとして定義される形状パラメータであり、
2010514982.tif 000032
の条件を満たし、
α1＝ｚｔであり、
ｔは大歯車に対する小歯車の回転角であり、ＯＸＹ座標系における軸Ｘから計算され、この開始点は大歯車の中心にあって１つのパラメータの役割を果たし、
０≦ｔ≦２πであり、
2010514982.tif 000033
であり、
また、ステータの断面における内面輪郭はｚ個の直線区域で作られ、これらの各々は、
2010514982.tif 000034
のパラメータ方程式に対応して作られ、
上式において、ｘn、ｙnは、Ｏ1Ｘ1Ｙ1デカルト座標系のＸ1、Ｙ1軸に沿ったステータの輪郭点の現在座標であり、この開始点は小歯車の中心にあり、
ｎ＝０、１、・・・ｚは直線区域の数であり、
2010514982.tif 000035
であり、
ρは小歯車に対する大歯車の回転角であり、Ｏ1Ｘ1Ｙ1座標系の軸Ｘ1から計算され、この開始点は小歯車の中心にあって１つのパラメータの役割を果たし、この場合、
2010514982.tif 000036
の場合、
2010514982.tif 000037
Ｂ−Ａ＜０かつ
2010514982.tif 000038
、又はＢ−Ａ＞０かつ
2010514982.tif 000039
の場合、
2010514982.tif 000040
Ｂ−Ａ＜０かつ
2010514982.tif 000041
2010514982.tif 000042
の場合、
2010514982.tif 000043
となり、この場合、ステータの輪郭の隣り合う直線区域は、互いにｚ＋１個の曲線区域によって接合され、これらの曲線区域の各々は、次のパラメータ方程式のいずれか、すなわち、
2010514982.tif 000044
上式において、ｘ′、ｙ′は、軸Ｏ1Ｘ1、Ｏ1Ｙ1に沿った接合弓形の現在座標であり、
θは、ｋが偶数かつＢ−Ａ＜０の場合、或いはｋが奇数かつＢ−Ａ＞０の場合、
2010514982.tif 000045
の区域上で定められるパラメータであり、
若しくはθは、ｚが奇数かつｋが奇数かつＢ−Ａ＜０の場合、或いはｚが奇数かつｋが偶数かつＢ−Ａ＞０の場合、
2010514982.tif 000046
の区域上で定められるパラメータであり、
2010514982.tif 000047
であり、
又は、
2010514982.tif 000048
に対応する弓形として作られ、
上式において、θは、ｚが偶数かつｋが奇数かつＢ−Ａ＜０である場合、或いはｚが偶数かつｋが偶数かつＢ−Ａ＞０である場合、
2010514982.tif 000049
の区域上で定められるパラメータである。
【００２１】
本発明の第１及び第２の実施形態では、θは、第１の事例では小歯車に、また第２の事例では大歯車に連結される駆動シャフトの回転角を表すパラメータである。
【００２２】
本発明の実施可能な実施形態において添付図面を参照しながら、本発明の上述の利点及び具体的な特徴についてさらに説明する。
【図面の簡単な説明】
【００２３】
【図１】容積式機械の第１の実施形態の運動図であり、ここでは小歯車がロータに連結され、大歯車がステータに連結される。
【図２】図１と同様の容積式機械の例示的な組立図である。
【図３】ロータの外面輪郭を構築する際の本発明の第１の実施形態のための遊星歯車機構の大小の歯車の初期位置を示す図である。
【図４】図３と同様の大小の歯車の中間位置を示す図である。
【図５】ステータの内面輪郭を構築する際の本発明の第１の実施形態のための遊星歯車機構の大小の歯車の初期位置を示す図である。
【図６】図５と同様の大小の歯車の中間位置を示す図である。
【図７】ｚ＝２の場合の第１の実施形態による例示的なロータ−ステータ構成である。
【図８】ｚ＝３の場合の図７と同様の図である。
【図９】ｚ＝４の場合の図７と同様の図である。
【図１０】容積式機械の実施形態の運動図であり、ここでは小歯車がステータに連結され、また大歯車がロータに連結される。
【図１１】図１０と同様の容積式機械の例示的な組立図である。
【図１２】ロータの外面輪郭を構築する際の本発明の第２の実施形態の遊星歯車機構の大小の歯車の初期位置を示す図である。
【図１３】図１２と同様の大小の歯車の中間位置を示す図である。
【図１４】ステータの内面輪郭を構築する際の本発明の第２の実施形態の遊星歯車機構の大小の歯車の初期位置を示す図である。
【図１５】図１４と同様の大小の歯車の中間位置を示す図である。
【図１６】ｚ＝２の場合の第２の実施形態による例示的なロータ−ステータ構成である。
【図１７】ｚ＝３の場合の図１６と同様の図である。
【図１８】ｚ＝４の場合の図１６と同様の図である。
【発明を実施するための形態】
【００２４】
第１の実施形態（図１、２）によれば、容積式機械は、ステータ１と、このステータ１内に偏心して配置されたロータ２とを備える。遊星歯車機構は、大歯車３及び小歯車４から成る。大歯車３は、遊星歯車機構の大歯車３の周囲を移動可能に作られた小歯車４の外側と係合した形で固定して取り付けられる。ステータ１は大歯車３に連結され、ロータは遊星歯車機構の小歯車４に連結される。ロータ２の断面における外面輪郭は直線群の包絡線であり、この群を生成する直線ｙｚは大歯車３に固定して連結され、Ｏ1Ｘ1Ｙ1座標系（図３〜５）において直線ｙｚの開始点が大歯車３の中心にある。偏心度ｅは、ステータ１及びロータ２の中心間の距離であり、これは大歯車３及び小歯車４の中心間の距離に相当する（図３）。
【００２５】
第２の実施形態（図１０、１１）によれば、容積式機械は、ステータ１と、ステータ１内に偏心して配置されたロータ２とを備える。遊星歯車機構は、大歯車３及び小歯車４から成る。小歯車４は、大歯車３の内側に係合した形で取り付けられる。小歯車は固定して取り付けられ、大歯車３は遊星歯車機構の小歯車４の周囲を移動可能に作られる。ステータ１は小歯車４に連結され、ロータは遊星歯車機構の大歯車３に連結される。
【００２６】
ロータ２の輪郭は、直線ｙzの群Ｌｚの包絡線であり、この群を生成する直線ｙzは、（図３の第１の実施形態の場合）大歯車３に、又は（図１２の第２の実施形態の場合）小歯車４に連結されるとともに、
2010514982.tif 000050
の方程式により設定され、
上式において、Ａは、固定したＸ軸に対する直線ｙzの方向を最初に決定する角度である（第１の実施形態（図２、３）の場合、その初期位置における接点Ｋ0と小歯車４の中心Ｏとを通り、或いは第２の実施形態の場合、その初期位置における接点Ｋ0と大歯車３の中心Ｏとを通る）。
Ｂは、第１の実施形態（図２）の場合には大歯車３との、或いは第２の実施形態（図１０）の場合には小歯車４との直線の連結を固定する区域Ｏ1Ｄの方向を決定する角度である。
【００２７】
ステータ１の輪郭の形成は包絡線の発見に関連するが、この場合は曲線群Ｋｚの包絡線の発見に関連し、これらの各々はロータ１の輪郭曲線である。
【００２８】
大歯車３の半径Ｒ及び小歯車４の半径ｒは、
2010514982.tif 000051
の関係で結ばれ、
上式において、本発明の両実施形態では、ｚは２から始まる偶数値を有する係合パラメータである。
【００２９】
第１の実施形態では、ロータ２（図３、４）の輪郭の構造は、直線ｙzの群Ｌｚの包絡線を決定することに関連する。
【００３０】
固定したｚにおける直線群Ｌｚは、大歯車３がその内歯を小歯車４の外歯と係合させて小歯車４の周囲を移動する過程において形成される。この過程中、区域ＯＯ1（その長さは偏心度の値ｅに等しい）のそれぞれの回転角θ及び大歯車３の回転角Ψは、個々の瞬間に対応する（図４）。周囲を移動中、直線ｙzは、可動であるとともに大歯車に関連しているＯＸ1Ｙ1座標系内ではその位置を変えないが、固定され小歯車３に関連しているＯＸＹ座標系内における直線ｙｚの位置は連続的に変化する。
【００３１】
上述したように、ＯＸＹ座標系内における直線群Ｌｚの包絡線すなわちロータ２の輪郭を求めるパラメータ方程式は、
2010514982.tif 000052
の形を有し、
上式において、ｘ、ｙは、ＯＸＹデカルト座標系のＸ、Ｙ軸に沿った輪郭点の現在座標であり、その開始点は小歯車の中心にあり、
ｅは偏心度の値であり、
ｚは、係合パラメータ（ｚ＝２、３、・・・）であり、
α＝（ｚ＋１）Ψであり、
Ψは小歯車に対する大歯車の回転角であり、ＯＸＹ座標系におけるＸ軸から計算され、この開始点は小歯車の中心にあって１つのパラメータの役割を果たし、
０≦Ψ≦２πであり、
2010514982.tif 000053
であり、
ａ*は、ａ*＝ａ／ｅとして定義される形状パラメータであり、
2010514982.tif 000054
の条件を満たし、
この方程式によって表されるようなロータの輪郭は、ｚ個の同様な分枝及びｚ個の頂点を有する（ｚ≧２）（図７〜９）。
【００３２】
本発明の第１の実施形態におけるステータ１の輪郭構造（図５、６）もまた、包絡線を決定することに関連するが、この場合、小歯車４が大歯車３の周囲を移動中に（図５、６）、より正確には大歯車に連結されたロータ２の周囲を移動中に形成される曲線群Ｋｚの包絡線を決定することに関連し、その輪郭曲線の明確な位置は個々の回転角に対応する。このような曲線が集まって曲線群Ｋｚを形成することになる。この時点で、座標系の指数化方式（ｉｎｄｅｘａｔｉｏｎ）が変化し、今やＯ1Ｘ1Ｙ1可動系が小歯車４に関連し、ＯＸＹ固定系が大歯車に関連する。またこれらの座標系の開始点は、小歯車４及び大歯車３のそれぞれの中心に位置する。
【００３３】
ステータ１の輪郭、すなわち曲線群Ｋｚの包絡線はｚ＋１個の直線区域から成り、これらの各々を表すパラメータ方程式は、
2010514982.tif 000055
の形を有し、
上式において、ｘk、ｙkは、Ｏ1Ｘ1Ｙ1デカルト座標系のＸ1、Ｙ1軸に沿ったステータの輪郭点の現在座標であり、この開始点は大歯車の中心にあり、
ｋ＝０、１、・・・ｚは直線区域の数であり、
2010514982.tif 000056
であり、
χは大歯車に対する小歯車の回転角であり、Ｏ1Ｘ1Ｙ1座標系のＸ1軸から計算され、この開始点は大歯車の中心にあって１つのパラメータの役割を果たし、この場合、
2010514982.tif 000057
の場合、
2010514982.tif 000058
Ｂ−Ａ＜０かつ
2010514982.tif 000059
、又はＢ−Ａ＞０かつ
2010514982.tif 000060
の場合、
2010514982.tif 000061
Ｂ−Ａ＜０かつ
2010514982.tif 000062
2010514982.tif 000063
の場合、
2010514982.tif 000064
となり、ステータの輪郭の隣り合う直線区域は、互いにｚ＋１個の曲線区域によって接合され、これらの曲線区域の各々は、次のパラメータ方程式のいずれか、すなわち、
2010514982.tif 000065
上式において、ｘ′、ｙ′は、Ｏ1Ｘ1、Ｏ1Ｙ1軸に沿った接合弓形の現在座標点であり、
θは、小歯車４に連結された駆動シャフトの回転角を表すパラメータ（図４、６）であり、ｋが偶数かつＢ−Ａ＜０、又はｋが奇数かつＢ−Ａ＞０である場合、
2010514982.tif 000066
の区域において決定され、
或いは、θは、ｚが偶数かつｋが奇数かつＢ−Ａ＜０、又はｚが偶数かつｋが偶数かつＢ−Ａ＞０である場合、
2010514982.tif 000067
の区域において決定されるパラメータであり、
2010514982.tif 000068
であり、
又は、
2010514982.tif 000069
に対応する弓形となり、
上式において、θは、ｚが奇数かつｋが奇数かつＢ−Ａ＜０である場合、
2010514982.tif 000070
の区域において決定されるパラメータであり、
或いは、θは、ｚが奇数かつｋが偶数かつＢ−Ａ＞０である場合、
2010514982.tif 000071
の区域において決定されるパラメータである。
【００３４】
本発明の第２の実施形態におけるロータ２の輪郭構造（図１２、１３）は、直線ｙzの群Ｌｚの包絡線で決定される。
【００３５】
ｚが固定されている場合、群Ｌｚは、小歯車４がその外歯を大歯車３の内歯と係合させて、固定した大歯車３の周囲を移動中に形成される。この期間中、区域ＯＯ1（その長さは偏心度に値ｅに等しい）のそれぞれの回転角θ及び小歯車４の回転角ｔは、個々の瞬間に対応する。周囲を移動中、直線ｙzは、可動であるとともに大歯車に連結されたＯＸ1Ｙ1座標系内ではその位置を変えないが、固定され小歯車３に連結されたＯＸＹ座標系内における直線ｙｚの位置は絶えず変化する。
【００３６】
上述したように、ＯＸＹ座標系内における直線群Ｌｚの包絡線すなわちロータ２の輪郭を求めるパラメータ方程式は、
2010514982.tif 000072
の形を有し、
上式において、ｘ、ｙは、ＯＸＹデカルト座標系のＸ、Ｙ軸に沿ったロータ２の輪郭点の現在座標であり、その開始点は大歯車３の中心にあり、
ｅは偏心度の値であり、
ｚは、係合パラメータ（ｚ＝２、３、・・・）であり、
ａ*は、ａ*＝ａ／ｅとして定義される形状パラメータであり、
2010514982.tif 000073
の条件を満たし、
ｔは大歯車３に対する小歯車４の回転角であり、ＯＸＹ座標系におけるＸ軸から計算され、この開始点は大歯車３の中心にあって１つのパラメータの役割を果たし、
０≦ｔ≦２πであり、
2010514982.tif 000074
である。
【００３７】
本発明の第２の実施形態におけるステータ１の輪郭構造（図１３、１４）もまた、包絡線を決定することに関連するが、この場合、大歯車３が小歯車４の周囲を移動中に、より正確には小歯車に連結されたロータ２の周囲を移動中に形成される曲線群Ｋｚの包絡線を決定することに関連し、その輪郭曲線の明確な位置は個々の回転角に対応する。このような曲線が集まって曲線群Ｋｚを形成することになる。この時点で、座標系の指数化方式が変化し、今やＯ1Ｘ1Ｙ1可動系が大歯車３に関連し、ＯＸＹ固定系が小歯車４に関連する。またこれらの座標系の開始点は、大歯車３及び小歯車４のそれぞれの中心に位置する。
【００３８】
曲線群Ｋｚの包絡線、すなわちステータ１の輪郭は、ｚ個の直線区域から成り、これらの各々を表すパラメータ方程式は、
2010514982.tif 000075
の形を有し、
上式において、ｘn、ｙnは、Ｏ1Ｘ1Ｙ1デカルト座標系のＸ1、Ｙ1軸に沿ったステータの輪郭点の現在座標であり、この開始点は小歯車４の中心にあり、
ｎ＝０、１、・・・ｚは直線区域の数であり、
2010514982.tif 000076
であり、
ρは小歯車４に対する大歯車３の回転角であり、Ｏ1Ｘ1Ｙ1座標系のＸ1軸から計算され、この開始点は小歯車４の中心にあって１つのパラメータの役割を果たし、この場合、
2010514982.tif 000077
の場合、
2010514982.tif 000078
Ｂ−Ａ＜０かつ
2010514982.tif 000079
、又はＢ−Ａ＞０かつ
2010514982.tif 000080
の場合、
2010514982.tif 000081
Ｂ−Ａ＜０かつ
2010514982.tif 000082
2010514982.tif 000083
の場合、
2010514982.tif 000084
となり、ステータ１の輪郭の隣接する直線区域は、互いにｚ個の曲線区域によって接合され、これらの曲線区域の各々は、次のパラメータ方程式のいずれか、すなわち、
2010514982.tif 000085
上式において、ｘ′、ｙ′は、Ｏ1Ｘ1、Ｏ1Ｙ1軸に沿った接合弓形の現在座標であり、
θは、ｋが偶数かつＢ−Ａ＜０、又はｋが奇数かつＢ−Ａ＞０である場合、
2010514982.tif 000086
の区域において決定されるパラメータであり、
或いは、θは、ｚが奇数かつｋが奇数かつＢ−Ａ＜０、又はｚが奇数かつｋが偶数かつＢ−Ａ＞０である場合、
2010514982.tif 000087
の区域において決定されるパラメータであり、
2010514982.tif 000088
であり、
又は、
2010514982.tif 000089
に対応する弓形として作られ、
上式において、θは、ｚが偶数かつｋが奇数かつＢ−Ａ＜０、又はｚが偶数かつｋが偶数かつＢ−Ａ＞０である場合、
2010514982.tif 000090
の区域において決定されるパラメータである。
【００３９】
本発明の第１の提案する実施形態では、圧縮機及びポンプにおける２頂点ロータ（図７）の構成の使用は、高い（１よりも大きい）比容量を特徴とし、この係数では、ｚ＝２の場合、判別型圧縮機及びポンプは、回転工学及び一般工学における類似の解決策を有さず、最小の寸法−重量特性を達成することが主な要件である分野にこれらの構成を利用することができる。内燃機関におけるこのような構成の利用は、（１２０もの高さにもなり得る）高い圧縮比に起因して問題がある。図８及び図９にそれぞれ示す３頂点ロータ（ｚ＝３）及び４頂点ロータ（ｚ＝４）の構成では、ｚ＝２の場合と比べて特定係数がかなり低い（例えば、判別圧縮機の最大比容量は、ｚ＝３で０．４５でありｚ＝４で０．２５である）。従って、寸法−重量特性に関する要件とは別に、圧力変動レベル及び出力シャフトの回転均一度に対する一定の要件も存在する場合、圧縮機及びポンプにはこのような構成を推奨することができる。同時に、形状パラメータａ*に対応する値を選択することにより、このような構成には常である最大圧縮比（ｚ＝３で４５及びｚ＝４で２９）によって、このような構成をロータリエンジンに使用できるようになる。
【００４０】
本発明の第２の実施形態の構成（図１６〜１８）の際立った特徴として、ｚ＝２〜４の場合のこれらの特定係数により、第１の実施形態の構成よりもかなり劣るということが挙げられるが、このような劣等性は、ｚパラメータを増加させることによって減少し、ｚ＞１０において事実上消滅する。このような構成の、第１の実施形態の構成を凌駕する利点として、シールの周囲長がより短くて済むことにより、これらの使用時に作動チャンバを密閉するという問題を大いに解決できるという点が挙げられる。この事実を十分に考慮すると、ｚ＞１０の場合には本発明の第２の実施形態が望ましい。（例えば、医療において）低いしきい値の圧力変動及び可能な限りの作動円滑性を規制する動力ユニットに対する要件が存在する場合、高いｚパラメータ値の構成を使用する必要性が生まれる。
【００４１】
本発明の第２の実施形態による構成をロータリエンジンで使用するというあらゆる可能性は、圧縮比が６よりも高くなり得ないという理由で事実上排除される。３頂点ロータの構成（図１４）は、製造が容易であることを条件とする家庭用ポンプでの使用に見込まれる。
【００４２】
圧縮機及びポンプのために選択される形状パラメータａ*の値は、そのような場合には最大比容量specific capacityを達成できるから、最小であるべきであり、またエンジンのためのそのような値は、作動チャンバ内で必要な圧縮比を確保するために、最小値よりもかなり大きくすべきである。角度パラメータＡ及びＢの値は、技術的要因と組立て条件とに基づいて選択すべきである。
【００４３】
ｚパラメータの値の選択時には、この値が高いほど圧縮機及びポンプの比容量、及びエンジンの比出力が低くなるが、同時に、この値が増加すると、圧縮機及びポンプの出力における脈動レベルの低下、及びエンジンを含む全ての種類のピストン回転機械の出力シャフトの回転の不均一性を招くということを心に留めておくべきである。
【００４４】
提案した容積式機械の実施形態は、ロータ−ステータの判別型構成の幾何学的及び力学的特徴により条件付けられるとともに作動物質を高い技術効率及び経済効率で分配するという課題及び作動チャンバを密閉するという課題の解決を可能にする構造要件を含む。長期的に見れば、この構造要件は、回転工学のみならず一般工学においても、耐用年数、信頼性、及び比速度といった要素を現存のレベルよりもかなり高いレベルに上昇させる。
【００４５】
提案したピストン回転機械の実施形態のその他の特徴の中から、以下の特徴を挙げることができる。
【００４６】
−  提案した装置をロータリエンジンとして使用する場合、燃焼室の形状が最適（半球状）であり、これは作業工程に有利な条件を生み出すという現実の可能性に相当する。この結果、作動混合物の燃焼効率及び熱量効率が、従来の内燃機関におけるもの、さらには今日最も広く使用されているトロコイド型ロータリエンジン（バンケルエンジン）におけるもの以上となり、この結果、高い効率（まず第１に燃料効率）と環境基準の遵守とが保証される。
【００４７】
−  加熱係数が、トロコイド型及び従来型動力ユニットにおけるそれと比べてそれほど際立っていない。この理由は、判別型構成の（縦軸に対する）「深い」対称性にある。この判別型機械の対称性という固有の特徴の評価については、この対称性がこのような機械の形状そのもの及びこれらの機械における作動チャンバの配置を特徴付けるだけでなく、温度、運動学的要素、及び力率の分野が中心にあるという事実も含むという意味で解釈すべきである。後者の事実により、特にロータ及びステータに必要な材料を選択することにより、ロータ−ステータ構成における熱負荷の不均衡及び加熱歪みを大きく減少できるようになる。従って、これにより、ロータ−ステータの対における寄生性の動力接点の存在が事実上完全に排除され、すなわち長期的に見れば、加熱条件により条件付けられる磨耗と目詰まりの危険性とが大幅に減少することになる。
【００４８】
−  新しいピストン回転型動力ユニットの利点が失われないようにする高い特定係数（例えば、判別型圧縮機の比容量は、トロコイド型圧縮機の特定係数の２倍の高さである）であり、これは比速度により条件付けられる。計算が示すように、所定の同様の出力特性において、判別型機械の寸法及び重量は、用途に関係なく、往復式動力ユニットのそれよりも３〜４倍低く、トロコイド型ユニットのそれよりも１．５〜２倍低い。
【産業上の利用可能性】
【００４９】
提案した容積式機械の実施形態は、内燃機関、ポンプ、又は圧縮機に最もうまく利用することができる。
【符号の説明】
【００５０】
１  ステータ
２  ロータ
【図１】
2010514982.tif 000132
【図２】
2010514982.tif 000133
【図３】
2010514982.tif 000134
【図４】
2010514982.tif 000135
【図５】
2010514982.tif 000136
【図６】
2010514982.tif 000137
【図７】
2010514982.tif 000138
【図８】
2010514982.tif 000139
【図９】
2010514982.tif 000140
【図１０】
2010514982.tif 000141
【図１１】
2010514982.tif 000142
【図１２】
2010514982.tif 000143
【図１３】
2010514982.tif 000144
【図１４】
2010514982.tif 000145
【図１５】
2010514982.tif 000146
【図１６】
2010514982.tif 000147
【図１７】
2010514982.tif 000148
【図１８】
2010514982.tif 000149
【国際調査報告】
2010514982.tif 000150
2010514982.tif 000151